(57)【要約】【目的】体感上不快となる電気出力刺激を解消すると共に、顔面等体のデリケートな部分に、適用可能とすると共に、使用頻度が高い時間帯の状況に応じたイオントフォレーゼの形態を形成する。【構成】電気出力ユニット及び、前記電気出力ユニットを生体に装着するための装着手段よりなる生体装着型のイオントフォレーゼ用デバイスを形成すると共に電気出力ユニットは、ユーザに不快な刺激を与えないような態様で出力を行う。装着手段は、生体に対し、非刺激的で、しかも簡単な着脱ができる形状とし、使用者に負担を与えない取り扱いを可能とする。【選択図】図１
2004159673.tif 000002
【特許請求の範囲】
【請求項１】
電気出力ユニット及び、前記電気出力ユニットを生体に装着するための装着手段よりなるイオントフォレーゼ用デバイス。
【請求項２】
前記装着手段が、生体にぶら下げる、かぶる、着る、掛ける等であって、容易に身につけることができ且つ容易に取り外すことが可能な装着態様により電気出力ユニットが、生体の行動に併せて移動を可能とする補助具である請求項１に記載のイオントフォレーゼ用デバイス。
【発明の詳細な説明】
【０００１】
【産業上の利用分野】
本発明は、経皮より薬液、化粧料を投与する場合、生体と電気出力の調和を図るためのイオントフォレーゼ用デバイスに関する。
【０００２】
【従来の技術】
イオントフォレーゼは、電気的に経皮から薬液を投与する為の手段として古くから様々な手法が提案されてきたが、特開昭５８−１３００５４号公報において、界面形成手段を導電性と粘着性を有することで、生体皮膚表面に自己保持能力を持つゲルと電気出力デバイスを組み合わせて使用するような形態が登場するに至った。
このような粘着性を有する天然あるいは合成ゲルと電気出力ユニットとの組み合わせは、生体に一体的に貼着できることから、生活活動を妨げず、どこででもタイムリーな投薬が可能であるが、ゲルと生体とが接触している状況下では、たとえ天然多糖類であってもゲルに残留するモノマーやその他の刺激成分の影響は無視できず、特に化粧料の投与のための使用においては、使用は制限されざるをえないものである。
【０００３】
一方この先行技術からしてもイオントフォレーゼのための電気デバイスの小型化は顕著であり、ポケットに収容して使用されるポケットタイプの形態のデバイスも提案されてはいる。例えば、  特開平２−２４１４６４号には、よりシンプルなデバイス構成が記載され、しかも様々なバリエーションのある電気出力が可能なイオントフォレーゼ用デバイスが示されている。
【０００４】
【本発明が解決しようとする課題】
しかしながら、イオントフォレーゼの利用が、化粧品に適用される場合、化粧をする時間帯等は、主に就寝前、起床後の一定の時間が利用されること示されるが、その際、主にラフな格好での使用がある。また、リラックスした状態での経皮投与が好ましい
この場合、眼鏡、腕時計の着用すらも行っておらず、最小限の衣類しか身にまとってない状況が多い。
イオントフォレーゼを使用するとすれば、デバイスを手で持つか横に置いて使用したり、ゲルの影響を承知しながら一体貼着型を利用せざるを得ないのである。このような利用は、身体の行動を制限する為、より義務的な使用以外は、継続した利用にはつながらない場合が多いのである。
又、様々なバリエーションのある電気出力が可能なイオントフォレーゼ用デバイスの提案はあっても、美しくなろうと思って利用する化粧品への適用に際し、適当と言われる使用態様を開示するものではない。
【０００５】
【課題を解決するための手段】
上記に鑑み本発明は、電気出力ユニット及び、前記電気出力ユニットを生体に担持するための担持手段よりなる構成、即ちペンダントタイプ、巻き付けタイプのデバイスにより、ラフな格好でも、容易に邪魔にならない範囲で装着できしかも、動き回った使用でもなんら問題にならないイオントフォレーゼを実現するに至ったのである。
しかも、顔面により近いところで、デバイスを携行できるため、電極と、デバイスの間のリード線の取り扱いも容易になり、簡便な化粧料の電気的経皮投与を可能とするのである。
本発明における装着手段は、図１に示すようなペンダントタイプのように、ひもを用いる必要はなく、例えば、対極側を洗濯ばさみのようなもので、挟持後自己維持が可能な程度の挟持力のあるクリップ構造とすると共に、主極も同様のクリップとし、タオルなど肩にかけることができる程度の大きさのものに、生理食塩水程度の濃度の塩を有する液体を含浸させて、これを肩にかける。その際少なくとも、含水面が肌に接触するようにすると共に、含浸部分を対極側のクリップで挟む。対極側のクリップの挟持力により、タオルに装着維持され、更に、投与する為の化粧料を含浸させた布きれを適用部位に貼り付け、化粧料を含浸した部分に主極用クリップを挟持させる。
この様に、クリップのみを接続手段としてもつ構成であっても十分なイオントフォレーゼが実現でき、しかも生体に変えるためのひもと、電極を接続するためのリード線とが混在しない形態となるためよりシンプルな構成が可能となるのである。
又、一方がクリップで、他方が、電極接続構成とするような形態でも良い。
又クリップは、洗濯ばさみのようなものでなくてもよく、例えば、面状ファスナの引掛けようとする側のようなタオルに接触すると、そのまま接続する係止構成や吸引力により生体に装着される吸引電極タイプとしてもよい。吸引電極タイプの対極とすることにより、本体が生体に吸着した対極にぶら下がる形式で維持され、より簡易な使用が実現できる。
更に本発明は、同一のタオルに、主極、対極の両方が、係止できる構成とし、同一のタオルに係止して装着した後、両方の係止部分が、なるべく別々に含浸されるように、化粧料をタオルに含浸させたものであってもよい。
主極と対極間が、タオルを介して直接化粧料が含浸されるとタオルを介して電気が流れてしまうことから、なるべく、主極、対極のそれぞれが、独立して含浸されることが好ましいが、皮膚のインピーダンスが低い場合などは、ある程度主極対極間に化粧料が含浸された状態でもよい場合もある。
更に本発明では、敏感な皮膚への電気出力を可能とするために、通電時間を重複しない様に、断続した使用の場合は、使用を中断した時点までの時間、出力態様を記憶し、再度通電する場合は、中断した時点から残りの時間を通電するといった記憶手段を設けるとともに、肌への電気出力は、言い換えれば電気刺激となり、その違和感は、個人差があるものの全体として良いものとはいえないが、特に通電開始と停止の際の電気的変化により、不快な刺激を生じることから、この不快な出力を低減するために、所定間隔で電気出力を変化させ、しかも継続した出力状態で、出力の程度を変化させ、より電気出力に対する違和感のない出力を実現したのである。
【０００６】
本発明における装着手段は、主に電気出力ユニットを結合したアクセサリーを装着する態様、伸縮性のある巻き付け部材に電気出力ユニットを装着したものが例示され、少なくとも着脱が容易で、生体に負荷を与えない形態で装着されればよい。
本発明における、記憶手段とは、少なくとも中断前の出力状態に対し、残りの出力を記憶するものであって、例えば出力時間が全体で１０分であるのに対し、５分で中断したらのこり５分を記録する場合や、出力が、中断前の電気出力が１０Ｖであった場合は、１０Ｖを記憶する。
但し、出力再開時、記憶されていた電圧が１０Ｖであっても、即座に１０Ｖにあげるのではなく、例えば、数段階に分けて電圧を助序の上昇させるといった状態である。尚、記憶されている電圧が１Ｖや、２Ｖ程度で、刺激に結びつかない場合や、その他、適当と判断される場合は、そのまま上げてもよい。
特に、本発明では、出力される電気出力に対し、違和感を抑制するために、３段階程度に分けて、出力変化勾配を変える手法が好適である。
本発明は、電気出力ユニットの出力のピーク強度が、始動時又は再開時、表示強度に対し、半減又は半増させることにより、刺激の中間補正を可能とする。
これは、刺激が強すぎたり、あるいは、弱い場合などであって、プログラム途中で、補正が必要になったりした場合に有益である。
表示強度とは異なった出力を行うとは、通常の表示の強度でない強度に調整されることであり、必ずしも２倍、１／２倍というものではなく、１／３倍、１／５倍、１．５倍といったレベルを示すものであり、表示強度とは異なった刺激を出力する。この刺激とは異なった出力は、そのプログラムメニューが終了した後、リセットされ、表示強度に一致する刺激を出力させるようにしてもよい。
尚、当該調整は、中断時、或いは開始の際、２つのボタンを押すといった特別な操作によって行われても良く、その為の操作スイッチを別途設けても良い。
【０００７】
【実施例】
本発明の一実施例を図面を参照して詳細に説明する。
図１は、電気刺激出力デバイスの外観の一例である。図５から図７は、図１で示した斜視図をより詳細に示した図である。
図５（  ａ）は平面図、図５（ｂ）は正面図、図６（ａ）は背面図、図６（ｂ）は底面図、図７（ａ）は右側面図、図７（ｂ）は左側面図である。その大きさは、縦８０×  横５０×奥行き２０  ｍｍ程度の範囲に収まるものであり、出力のＯＮ／ＯＦＦスイッチ１３、出力強弱スイッチ１４、一時停止、スタート、再開を行う操作スイッチ１２程度の操作部を有する。
その他、出力状態等を表示する表示部１５、電極に接続するための出力端１６、ペンダント状にするための、紐１８を通す為の貫通孔１７が形成されている。
操作ボタンは、いずれも押すことにより操作されるものであって、押す回数で制御される。
【０００８】
本発明は、ペンダントタイプとして図４で示すように首からかけることで、身体に装着した状態で使用され、主極、対極の何れの電極も皮膚に張り付けて使用する。電極の主極側は、顔面のシミ等の適用部位に使用されるが、首からぶら下げて使用されるペンダント型の為、電極と装置を結ぶリード線は、特に邪魔になるものではなく、移動も容易であり、使用者にとって楽なイオントフォレーゼが可能となる。２０は、プラグであり、主極用リード線２１の一端、対極用リード線２２の一端が接続されている。プラグ２０は、本体１１の出力端１６に挿入して使用され、電気リード線の他端には、それぞれ電極と電気的な接続を着脱自在にするための接続具がそれぞれ接続している。主極用リード線２１の接続具は、主極用電極２３と例えば挟持して結合し、機械的電気的接続状態を形成し、対極用リード線２２の接続具は、対極用電極２４と例えば挟持して結合し、機械的、電気的に接続状態を形成する。
【０００９】
主極用電極は、投与しようとする化粧料成分が含浸される構成を持ち、対極用電極には、生体との通電状態を形成するためのの構造を有する。主極は、化粧料のイオン化の方向によって決定され、化粧料がマイナスイオンであれば、マイナス極が主極になる。電極の構造は、特に限定されす、既存のものが適用可能である。又紐１８をチェーン等の導電性とし、この紐１８を対極として使用することも可能である。
この構成により、対極用リード線２２は、邪魔にならないものとなり、より簡便な形式を有するようになる。
【００１０】
次に本発明の電気出力の出力態様について図２を参照して説明する。
本発明における電気出力は、パルス状であって、その出力形態において、図３で示すようにマイクロコンピュータ３１のドライブパルスを増幅して出力とする駆動回路３２の組み合わせのような比較的簡単な構成で足りる。出力の強弱は、Ｄ／Ａコンバータ３３、ＣＲ時定数回路の利用等が考えられるが、その他の手法としては、パルス幅により出力の強弱を行うことも可能である。この場合は、Ｄ／Ａコンバータ３３は不要でよりシンプルな構成となる。場合によっては昇圧手段等のＤＣ／ＤＣコンバータを付加してもよいが、昇圧せず、電池を複数枚たとえばリチウムコイン電池（３Ｖ）を４枚使用して１２Ｖの直流電源３４を利用したものであってもよい。３５は、操作ボタンであり、直接マイクロコンピュータ３１へオンオフに相当する信号を出力する。
また駆動回路３２は、極性を変えた出力を行うことも可能であり、電極が一方向の通電により電極の導電性部材、化粧料成分等を構成するイオンが分極し、導電性が損なわれた場合は、これを復活すべく、逆方向の通電を行う為には好適である。
この場合、電極は、主極、対極の区別がなくなり、両電極が主極となり、化粧料を含有する事が可能となる。
【００１１】
図２で示す出力の強弱は、図３で示す回路により行われる。図２の縦軸は、電圧で示されているが、これに限らずパルス幅に相当する時間で表される場合もある。
パルス幅のパルス振幅の変化あるいは、パルス幅の変化により行われるものであって、いずれの手法でもよく適宜選択して使用される。
図２（ａ）（ｂ）は、たとえば、図１で示す操作スイッチ１２を一回押した後、出力強弱スイッチ１４を１回押すごとの出力端から出力される電気出力レベルの変化を示したものである。
図２（ａ）は、一回強弱ボタンを押すと、例えば０．３Ｖと微量だけ増加していき、４回目で例えば２Ｖに増加し７回目以降再び０．３Ｖ程度の少ない電圧の変化をするように超際されたものである。出力開始の際、急激な変化に慣れず、不快な電気刺激を感じる人に好適な態様である。
図２（ｂ）は、最初所定の電圧２Ｖの出力される、その後押す回数により例えば４回までは２Ｖ単位で、その後０．３Ｖ単位で押す毎に出力が上昇する場合を示す。
【００１２】
この場合は、途中で刺激が中断していたものを再会する際に元の状態に早く戻すためには有効な出力変化である。
この様な押す度に出力が変化する態様は、減少させる場合も同様の変化を行わせるものであってもよく、刺激への不快な感覚を解消させることができる。
なお、出力形式は、おおよそ〜３０ＫＨＺ（おおよそ〜５０％デユーテイ）でパルス状が示されるが、その他直流、交流でも良い場合もある。
図２は、その振幅の変化を示している。上述した実施例の押す回数、増加する単位電圧値、強さ等は、適宜調整されるものである。
【００１３】
本発明は、更に図２（ｃ）で示すように出力の中断に際し、そのプログラムメニューの中断として再会する際、中断したメニューから始めるような動作を行うものである。使用開始後、ｔ１分後、使用を中断した場合、残りｔ２分間を記憶し再度使用する際、残りの時間を通電する構成である。再開後の点線は、半減又は半増を行った場合の刺激の強度の変化を示すものである。
【００１４】
【発明の効果】
以上詳述のごとく本発明は、体感上より不快となる電気出力時の刺激を解消すると共に、より使いやすいイオントフォレーゼ用デバイスを可能とするものである。
【図面の簡単な説明】
【図１】本発明の一実施例を示す図である。
【図２】本発明の一実施例を示す図である。
【図３】本発明の一実施例を示す図である。
【図４】本発明の一実施例を示す図である。
【図５】本発明の一実施例を示す図である。
【図６】本発明の一実施例を示す図である。
【図７】本発明の一実施例を示す図である。
【符号の説明】
１１          本体
１２          操作スイッチ
１３          ＯＮ／ＯＦＦスイッチ
１４          出力強弱スイッチ
１５          表示部
１６          出力端
１７          貫通孔
１８          紐
１９          電池収納部
【図１】
2004159673.tif 000003
【図２】
2004159673.tif 000004
【図３】
2004159673.tif 000005
【図４】
2004159673.tif 000006
【図５】
2004159673.tif 000007
【図６】
2004159673.tif 000008
【図７】
2004159673.tif 000009